(57)【要約】【課題】紫外光照射により人体内でのビタミンＤ3の生成を促進する。紫外光の人への過剰照射を防止する。また、人に対して負担を掛けることなく紫外光照射制御を行う。【解決手段】主に２８０ｎｍ〜３１５ｎｍの波長域の紫外光を放射する紫外線ランプ３を使用した照明器具４，５を壁２に配置し、主に３１５ｎｍ以上の波長域の光を放射する蛍光ランプ１３を使用した照明器具１４，１５を天井１２に配置し、紫外線ランプの下方に位置してベッド８，９を配置し、このベッドの先端部の脇に２８０ｎｍ〜３１５ｎｍの波長域の紫外光の放射量を測定する紫外放射量測定手段１６，１７を配置する。そして、紫外放射量測定手段が測定した紫外放射量が所定量に達したとき紫外線ランプを消灯する。【選択図】      図１
2006318847.tif 000002
【特許請求の範囲】
【請求項１】
主に２８０ｎｍ〜３１５ｎｍの波長域の紫外光を放射する光源と、
室内の所定位置に照射される２８０ｎｍ〜３１５ｎｍの波長域の紫外光の放射量を測定する紫外放射量測定手段と、
前記紫外放射量測定手段により測定した紫外放射量が所定量に達したとき前記光源を消灯制御する制御手段と、
を具備したことを特徴とする照明システム。
【請求項２】
２８０ｎｍ〜３１５ｎｍの波長域の紫外光を含む光を放射する光源と、
室内の所定位置に照射される２８０ｎｍ〜３１５ｎｍの波長域の紫外光の放射量を測定する紫外放射量測定手段と、
前記紫外放射量測定手段により測定した紫外放射量が所定量に達したとき前記光源が放射する光のうち、３１５ｎｍ以下の波長の紫外光をカットする制御手段と、
を具備したことを特徴とする照明システム。
【請求項３】
主に２８０ｎｍ〜３１５ｎｍの波長域の紫外光を放射する第１光源と、
主に３１５ｎｍ以上の波長域の光を放射する第２光源と、
室内の所定位置に照射される２８０ｎｍ〜３１５ｎｍの波長域の紫外光の放射量を測定する紫外放射量測定手段と、
前記紫外放射量測定手段により測定した紫外放射量が所定量に達したとき前記第１光源を消灯制御する制御手段と、
を具備したことを特徴とする照明システム。
【請求項４】
主に２８０ｎｍ〜３１５ｎｍの波長域の紫外光を放射する連続調光が可能な第１光源と、
屋外環境における２８０ｎｍ〜３１５ｎｍの波長域の紫外光の一日の変動に応じて紫外光が変化するように前記第１光源を調光制御する調光手段と、
主に３１５ｎｍ以上の波長域の光を放射する第２光源と、
室内の所定位置に照射される２８０ｎｍ〜３１５ｎｍの波長域の紫外光の放射量を測定する紫外放射量測定手段と、
前記紫外放射量測定手段により測定した紫外放射量が所定量に達したとき前記第１光源を消灯制御する制御手段と、
を具備したことを特徴とする照明システム。
【請求項５】
主に２８０ｎｍ〜３１５ｎｍの波長域の紫外光を放射する連続調光が可能な第１光源と、
屋外環境における２８０ｎｍ〜３１５ｎｍの波長域の紫外光の季節変動に応じて紫外光が変化するように前記第１光源を調光制御する調光手段と、
主に３１５ｎｍ以上の波長域の光を放射する第２光源と、
室内の所定位置に照射される２８０ｎｍ〜３１５ｎｍの波長域の紫外光の放射量を測定する紫外放射量測定手段と、
前記紫外放射量測定手段により測定した紫外放射量が所定量に達したとき前記第１光源を消灯制御する制御手段と、
を具備したことを特徴とする照明システム。
【発明の詳細な説明】
【技術分野】
【０００１】
本発明は、紫外光を制御する照明システムに関する。
【背景技術】
【０００２】
紫外光は、波長によってＵＶ−Ａ、ＵＶ−Ｂ、ＵＶ−Ｃの３つに区分される。このうち、ＵＶ−Ｂは２８０ｎｍ〜３１５ｎｍ前後の波長域の紫外光を示し、ビタミンＤ3などの生成作用があることが知られている。このため、人にとってＵＶ−Ｂを適度に照射されることは健康を維持するために必要であるが、病気で入院している患者や地下空間や屋内で長時間働いている人は、ＵＶ−Ｂの照射が不足するという問題が生じる。一方、紫外光は必要以上に照射されると様々な障害が発生するという問題もある。
【０００３】
このため、従来は、腕などに紅斑検出器に付されているバンドを巻き付けて人体の皮膚の紅斑の濃さを検出し、最初の検出値を初期値として記憶し、その後、紫外線の照射によって皮膚に発生する紅斑の濃さを同検出器で検出して初期値からの増加量が所定量を超えると紫外線ランプを消灯させるものが知られている（例えば、特許文献１参照）。
【特許文献１】実公昭６１−３３９６４号公報
【発明の開示】
【発明が解決しようとする課題】
【０００４】
しかしながら、特許文献のように腕など人体に紅斑検出器に付されているバンドを巻き付けて人体の皮膚の紅斑の濃さを検出するものでは、人体への負担が大きく、毎日、長時間にわたって室内のＵＶ−Ｂの放射量を測定する場合には適用できなかった。  
本発明は、紫外光照射により人体内でのビタミンＤ3の生成を促進できるとともに屋外環境下における紫外光照射に対する皮膚の抵抗性を向上でき、しかも、紫外光の人への過剰照射を防止でき、また、人に対して負担を全く掛けることなく紫外光照射制御ができる照明システムを提供する。
【課題を解決するための手段】
【０００５】
請求項１記載の発明は、主に２８０ｎｍ〜３１５ｎｍの波長域の紫外光を放射する、例えば紫外線ランプや紫外線ＬＥＤなどの光源と、室内の所定位置に照射される２８０ｎｍ〜３１５ｎｍの波長域の紫外光の放射量を測定する紫外放射量測定手段と、紫外放射量測定手段により測定した紫外放射量が所定量に達したとき光源を消灯制御する制御手段を具備した照明システムにある。
【０００６】
この照明システムでは、光源からの紫外光が、例えば、入院患者の顔などに間接的に照射される。そして、紫外放射量測定手段を、例えば、入院患者が寝ているベッドの脇に配置し、光源からの２８０ｎｍ〜３１５ｎｍの波長域の紫外光や窓から入射する光に含まれる２８０ｎｍ〜３１５ｎｍの波長域の紫外光による放射量を測定する。そして、紫外放射量測定手段により測定した紫外放射量が人体に悪影響を与えない所定量、例えば、３０Ｊ／ｍ２に達したとき光源を消灯制御して紫外光の照射を停止させる。
【０００７】
請求項２記載の発明は、２８０ｎｍ〜３１５ｎｍの波長域の紫外光を含む光を放射する、例えば、蛍光ランプやＬＥＤなどの光源と、室内の所定位置に照射される２８０ｎｍ〜３１５ｎｍの波長域の紫外光の放射量を測定する紫外放射量測定手段と、紫外放射量測定手段により測定した紫外放射量が所定量に達したとき光源が放射する光のうち、３１５ｎｍ以下の波長の紫外光をカットする制御手段を具備した照明システムにある。
【０００８】
この照明システムでは、例えば、光源からの紫外光が入院患者の顔などに照射される。そして、紫外放射量測定手段を、例えば、入院患者が寝ているベッドの脇に配置して光源からの光に含まれる２８０ｎｍ〜３１５ｎｍの波長域の紫外光や窓から入射する光に含まれる２８０ｎｍ〜３１５ｎｍの波長域の紫外光による放射量を測定する。そして、紫外放射量測定手段により測定した紫外放射量が人体に悪影響を与えない所定量、例えば、３０Ｊ／ｍ２に達したとき光源からの３１５ｎｍ以下の波長域の紫外光を、フィルタ等を使用してカットする。
【０００９】
請求項３記載の発明は、主に２８０ｎｍ〜３１５ｎｍの波長域の紫外光を放射する、例えば紫外線ランプや紫外線ＬＥＤなどの第１光源と、主に３１５ｎｍ以上の波長域の光を放射する、例えば、蛍光ランプやＬＥＤや電球などの第２光源と、室内の所定位置に照射される２８０ｎｍ〜３１５ｎｍの波長域の紫外光の放射量を測定する紫外放射量測定手段と、紫外放射量測定手段により測定した紫外放射量が所定量に達したとき第１光源を消灯制御する制御手段を具備した照明システムにある。
【００１０】
この照明システムでは、第２光源によって室内の照明が行われる。また、第１光源からの紫外光が、例えば、入院患者の顔などに間接的に照射される。そして、紫外放射量測定手段を、例えば、入院患者が寝ているベッドの脇に配置し、第１光源からの２８０ｎｍ〜３１５ｎｍの波長域の紫外光や窓から入射する光に含まれる２８０ｎｍ〜３１５ｎｍの波長域の紫外光による放射量を測定する。そして、紫外放射量測定手段により測定した紫外放射量が人体に悪影響を与えない所定量、例えば、３０Ｊ／ｍ２に達したとき第１光源を消灯制御して紫外光の照射を停止させる。
【００１１】
請求項４記載の発明は、主に２８０ｎｍ〜３１５ｎｍの波長域の紫外光を放射する連続調光が可能な、例えば紫外線ランプや紫外線ＬＥＤなどの第１光源と、屋外環境における２８０ｎｍ〜３１５ｎｍの波長域の紫外光の一日の変動に応じて紫外光が変化するように第１光源を調光制御する調光手段と、主に３１５ｎｍ以上の波長域の光を放射する、例えば、蛍光ランプやＬＥＤや電球などの第２光源と、室内の所定位置に照射される２８０ｎｍ〜３１５ｎｍの波長域の紫外光の放射量を測定する紫外放射量測定手段と、紫外放射量測定手段により測定した紫外放射量が所定量に達したとき第１光源を消灯制御する制御手段を具備した照明システムにある。
【００１２】
この照明システムでは、第２光源によって室内の照明が行われる。また、第１光源からの紫外光が、例えば、入院患者の顔などに間接的に照射される。そして、第１光源からの紫外光は調光制御によって屋外環境下における２８０ｎｍ〜３１５ｎｍの波長域の紫外光の、一日の変動と同じように変化する。すなわち、昼間に放射量が大きくなり、朝夕に放射量が小さくなるように変化する。これにより、屋内の一日の紫外光照射環境を屋外と同様に設定できる。そして、紫外放射量測定手段を、例えば、入院患者が寝ているベッドの脇に配置し、第１光源からの２８０ｎｍ〜３１５ｎｍの波長域の紫外光や窓から入射する光に含まれる２８０ｎｍ〜３１５ｎｍの波長域の紫外光による放射量を測定する。そして、紫外放射量測定手段により測定した紫外放射量が人体に悪影響を与えない所定量、例えば、３０Ｊ／ｍ２に達したとき第１光源を消灯制御して紫外光の照射を停止させる。
【００１３】
請求項５記載の発明は、主に２８０ｎｍ〜３１５ｎｍの波長域の紫外光を放射する連続調光が可能な、例えば紫外線ランプや紫外線ＬＥＤなどの第１光源と、屋外環境における２８０ｎｍ〜３１５ｎｍの波長域の紫外光の季節変動に応じて紫外光が変化するように第１光源を調光制御する調光手段と、主に３１５ｎｍ以上の波長域の光を放射する、例えば、蛍光ランプやＬＥＤや電球などの第２光源と、室内の所定位置に照射される２８０ｎｍ〜３１５ｎｍの波長域の紫外光の放射量を測定する紫外放射量測定手段と、紫外放射量測定手段により測定した紫外放射量が所定量に達したとき第１光源を消灯制御する制御手段を具備した照明システムにある。
【００１４】
この照明システムでは、第２光源によって室内の照明が行われる。また、第１光源からの紫外光が、例えば、入院患者の顔などに間接的に照射される。そして、第１光源からの紫外光は調光制御によって屋外環境下における２８０ｎｍ〜３１５ｎｍの波長域の紫外光の季節変動と同じように変化する。すなわち、夏に放射量が大きくなり、冬に放射量が小さくなるように変化する。これにより、屋内の季節における紫外光照射環境を屋外と同様に設定できる。そして、紫外放射量測定手段を、例えば、入院患者が寝ているベッドの脇に配置し、第１光源からの２８０ｎｍ〜３１５ｎｍの波長域の紫外光や窓から入射する光に含まれる２８０ｎｍ〜３１５ｎｍの波長域の紫外光による放射量を測定する。そして、紫外放射量測定手段により測定した紫外放射量が人体に悪影響を与えない所定量、例えば、３０Ｊ／ｍ２に達したとき第１光源を消灯制御して紫外光の照射を停止させる。
【発明の効果】
【００１５】
請求項１乃至５記載の発明によれば、紫外光照射により人体内でのビタミンＤ3の生成を促進できるとともに屋外環境下における紫外光照射に対する皮膚の抵抗性を向上でき、しかも、紫外光の人への過剰照射を防止でき、また、人に対して負担を全く掛けることなく紫外光照射制御ができる照明システムを提供できる。  
また、請求項２及び３記載の発明によれば、さらに、室内の照明ができる照明システムを提供できる。  
また、請求項４記載の発明によれば、さらに、室内の照明ができるとともに紫外光の放射量を一日の屋外環境変動に合わせることができる照明システムを提供できる。  
また、請求項５記載の発明によれば、さらに、室内の照明ができるとともに紫外光の放射量を季節における屋外環境変動に合わせることができる照明システムを提供できる。
【発明を実施するための最良の形態】
【００１６】
以下、本発明の一実施の形態を、図面を参照して説明する。  
図１は照明システムの構成を示す室内斜視図で、この部屋１の一つの壁２の上部には、紫外光を放射する連続調光が可能な第１光源として紫外線ランプ３を使用した照明器具４，５を所定の間隔を隔てて取り付けている。
【００１７】
前記紫外線ランプ３としては、図３に示すように、主に２８０ｎｍ〜３１５ｎｍの波長域の紫外光を放射する分光分布を示し、人体に有害とされるＵＶ−Ｃ（２８０ｎｍ以下）の波長域の紫外光はほとんど放射しないランプを使用している。  
そして、前記各照明器具４，５には紫外線ランプ３からの紫外光が部屋の下部に直接照射されないように上側に開口部を形成したカバー６，７が配置されている。
【００１８】
前記各紫外線ランプ３の下方に位置してそれぞれベッド８，９が設置されている。このベッド８，９には、ほとんど外出ができない状態の人、例えば、入院患者や介護者などが寝ている。  
部屋１の壁２とは直交したもう一つの壁１０には窓１１が設けられ、外光が差し込むようになっている。前記部屋１の天井１２には、主に３１５ｎｍ以上の波長域の光を放射する第２光源として蛍光ランプ１３を使用した照明器具１４，１５が取り付けられている。なお、第２光源としては、その他ＬＥＤランプや電球などを使用したものであってもよい。
【００１９】
前記各ベッド８，９の先端部の脇には、所定位置における、２８０ｎｍ〜３１５ｎｍ、すなわち、ＵＶ−Ｂの波長域の紫外光の放射量を測定する紫外放射量測定手段１６，１７を配置した台１８，１９が設置されている。
【００２０】
図２は、この照明システムの制御部構成を示すブロック図で、前記照明器具４は、紫外線ランプ３を点灯制御部２１によって点灯動作するとともに調光部２２から調光信号を点灯制御部２１に供給することで紫外線ランプ３を調光制御するようになっている。前記照明器具５は紫外線ランプ３を点灯制御部２３によって点灯動作するとともに調光部２４から調光信号を点灯制御部２３に供給することで紫外線ランプ３を調光制御するようになっている。
【００２１】
前記照明器具１４は、蛍光ランプ１３を点灯制御部２５によって点灯動作するとともに調光部２６から調光信号を点灯制御部２５に供給することで蛍光ランプ１３を調光制御するようになっている。前記照明器具１５は蛍光ランプ１３を点灯制御部２７によって点灯動作するとともに調光部２８から調光信号を点灯制御部２７に供給することで蛍光ランプ１３を調光制御するようになっている。
【００２２】
前記紫外放射量測定手段１６，１７は、前記紫外線ランプ３から放出されるＵＶ−Ｂ紫外光は勿論、窓１１から入射する外光に含まれるＵＶ−Ｂ紫外光、前記蛍光ランプ１３に含まれるＵＶ−Ｂ紫外光によって照射される紫外放射量を測定するようになっている。
【００２３】
前記各点灯制御部２１，２３，２５，２７、各調光部２２，２４，２６，２８及び各紫外放射量測定手段１６，１７を制御手段３０によって制御するようになっている。前記制御手段３０には操作部３１が接続されており、この操作部３１を操作することで紫外線ランプ３の照明器具４，５は調光部２２，２４を介して調光制御ができ、また、蛍光ランプ１３の照明器具１４，１５は調光部２６，２８を介して調光制御ができるようになっている。
【００２４】
このような照明システムでは、点灯制御部２１、２３によってそれぞれ紫外線ランプ３を点灯動作すると共に点灯制御部２５，２７によってそれぞれ蛍光ランプ１３を点灯動作する。部屋１の明るさは、調光部２６，２８にて蛍光ランプ１３を調光点灯することで変更できる。
【００２５】
ベッド８，９に寝ている人に対しては、紫外線ランプ３からのＵＶ−Ｂ紫外光が間接照明として照射される。また、窓１１から外光に含まれるＵＶ−Ｂ紫外光も照射される。さらには、量は少ないが蛍光ランプ１３に含まれるＵＶ−Ｂ紫外光も照射される。
【００２６】
これらによってベッド８，９に寝ている人には適度のＵＶ−Ｂ紫外光が照射される。特に、紫外線ランプ３からは、図３に示すように、ビタミンＤ3の光合成における紫外光照射の最適波長である２９５ｎｍ付近にピーク値を持つ紫外光が放射されるので、ビタミンＤ3の生成が促進される。そして、ビタミンＤ3が光合成され、小腸でのカルシウムの吸収と骨の代謝の逐次的増進が図られる。また、ＵＶ−Ｂ紫外光が皮膚に吸収されることで新陳代謝を高め、交換神経の緊張を解き、血糖値や血中コレステロールを下げるという効果が得られる。さらに、紫外光の照射が少なくなると紫外光の照射量に対する皮膚の抵抗力が低下するが、このように適度のＵＶ−Ｂ紫外光が照射されることで、外出して自然光に当たる機会が少ない人であっても紫外光の照射量に対する皮膚の抵抗性を向上させることができる。これにより、オゾン層の破壊により増大の傾向にある屋外環境下のＵＶ−Ｂ紫外光の照射量に対して皮膚の抵抗力を高めることができる。
【００２７】
また、身体に良いとされるＵＶ−Ｂ紫外光であっても過度に照射されると様々な障害を引き起こす原因となる。このため、寝ている人の顔のそばに配置されている紫外放射量測定手段１６，１７によりＵＶ−Ｂ紫外光の放射量を測定する。
【００２８】
ところで、人はＵＶ−Ｂ紫外光においても一定の放射量以上の放射を受けると紅斑と呼ばれる現象が皮膚に生じることが知られている。例えば、照射距離の違いによるＵＶ−Ｂ照射エネルギーと照射時間と紅斑域との関係を示すと図３に示す結果が得られる。図３のグラフは、例えば、２０ｃｍの照射距離では４０ｍＪ／ｃｍ２のＵＶ−Ｂ照射エネルギーを５分程度照射すると最小紅斑値に達することを示している。また、５５ｃｍの照射距離では４０ｍＪ／ｃｍ２のＵＶ−Ｂ照射エネルギーを３０分程度照射すると最小紅斑値に達することを示している。
【００２９】
そこで、この照明システムでは、紫外放射量測定手段１６，１７が測定するＵＶ−Ｂ紫外放射量が人体に悪影響を与えない範囲で設定された所定量に達すると、例えば、３０Ｊ／ｍ２に達すると、制御手段３０が点灯制御部２１，２３を制御して紫外線ランプ３を消灯させる。また、ＵＶ−Ｂ紫外光を長時間連続して照射させても様々な障害を引き起こす原因となる。このため、人体に悪影響を与えない時間内で設定された所定時間、例えば、８時間連続して照射されている場合には、たとえ３０Ｊ／ｍ２に達していなくても制御手段３０が点灯制御部２１，２３を制御して紫外線ランプ３を消灯させる。  
紫外線ランプ３の照明器具４，５をこのように制御することにより、人体に悪影響を与えない範囲でＵＶ−Ｂ紫外光を照射させることができる。
【００３０】
ところで、屋外環境下では、一日におけるＵＶ−Ｂ紫外光の照射量は、日の出時、日中、日の入り時で異なる。すなわち、日の出時や日の入り時は最も少なくほとんどゼロに等しい。また、昼間に最も多くなる。また、夏、秋、冬、春の季節によっても異なる。すなわち、夏に最も多くなり、冬に最も少なくなる。
【００３１】
図５のグラフｇ１は放射量が最も多くなる夏季の一日のＵＶ−Ｂ紫外光の照射量の変化を示し、グラフｇ２は放射量が最も少なくなる冬季の一日のＵＶ−Ｂ紫外光の照射量の変化を示している。この図５によれば、夏季でも冬季でも正午付近で一日におけるＵＶ−Ｂ紫外光の照射量が最も多くなる。なお、このグラフは夏季における正午付近の放射量を１００として放射照度の相対値で表している。
【００３２】
そこで、制御手段３０は、予め設定されたプログラムに基づいて夏季における部屋１内の一日のＵＶ−Ｂ紫外光の放射量の変動が、グラフｇ１の変化に合うように紫外線ランプ３の照明器具４，５を調光制御する。また、制御手段３０は、冬季における部屋１内の一日の放射量の変動が、グラフｇ２の変化に合うように紫外線ランプ３の照明器具４，５を調光制御する。そして、夏季と冬季の間になる春や秋では予め設定されたプログラムに基づいて、部屋１内の一日の放射量の変動が、グラフｇ１とグラフｇ２の間に位置するグラフの変化に合うように紫外線ランプ３の照明器具４，５を調光制御する。なお、季節変動に関しては、３ヶ月単位や１ヶ月単位で変化させても、あるいは１週間単位のように細かく変化させても良い。
【００３３】
このような制御を行うことによって、紫外放射量測定手段１６，１７が配置されている所定位置に照射される紫外放射量を、屋外環境における一日の紫外放射量の変動に合わせて変化させることができ、また、屋外環境における季節変化に応じて変動する紫外放射量に合わせて変化させることができる。すなわち、部屋１内においても、夏には一日の紫外放射量が全体的に多くなり、しかも、日の出時、日の入り時において紫外放射量が最も少なく、正午付近において紫外放射量が最も多くなる制御が行われ、また、冬には一日の紫外放射量が全体的に少なくなり、しかも、日の出時、日の入り時において紫外放射量が最も少なく、正午付近において紫外放射量が最も多くなる制御が行われる。そして、春や秋には一日の紫外放射量が全体的に夏と冬の間になるように制御される。
【００３４】
このような制御が行われることで、ベッド８，９に長期間寝た状態であっても、健康な人が屋外で受ける紫外線の照射の変化と同じような変化を受けることができ、生活リズムに対応した紫外線の照射が受けられる。
【００３５】
なお、この実施の形態では、蛍光ランプ１３とは別に、ＵＶ−Ｂ波長域の紫外光を放射する紫外線ランプ３を使用したが必ずしもこれに限定するものではなく、紫外線ランプ３を使用せずにＵＶ−Ｂ波長域の紫外光を含む光を放射する、蛍光ランプやＬＥＤなどの光源を蛍光ランプ１３の代わりに使用し、この光源からのＵＶ−Ｂ紫外光を照射するようにしても良い。そして、この光源の照明器具に波長３１５ｎｍ以下の波長域の紫外光をカットするフィルタを可動自在に設け、紫外放射量測定手段１６，１７において紫外放射量の測定値が所定量に達したときには、フィルタを可動して光源から放射される光から、波長３１５ｎｍ以下の波長域の紫外光をカットする構成にすればよい。
【図面の簡単な説明】
【００３６】
【図１】本発明の一実施の形態に係る照明システムの構成を示す室内斜視図。
【図２】同実施の形態に係る照明システムの制御部構成を示すブロック図。
【図３】同照明システムで使用する紫外線ランプの分光分布を示す図。
【図４】ＵＶ−Ｂ紫外光の照射による紅斑反応曲線を示すグラフ。
【図５】夏季及び冬季における一日のＵＶ−Ｂ紫外放射量の変動パターンを示すグラフ。
【符号の説明】
【００３７】
３…紫外線ランプ、４，５…照明器具、１３…蛍光ランプ、１４，１５…照明器具、１６，１７…紫外放射量測定手段、２１，２３…点灯制御部、２２，２４…調光部、２５，２６…点灯制御部。
【図１】
2006318847.tif 000003
【図２】
2006318847.tif 000004
【図３】
2006318847.tif 000005
【図４】
2006318847.tif 000006
【図５】
2006318847.tif 000007